(57)【要約】      （修正有）【課題】野球やソフトボールのピッチングでボールに回転を与え、バッターを打ちづらくし、野球やソフトボール競技の向上となるなどの利点を要した指のトレーニングを提供する。【解決手段】フレームとなる台座フレームにスタンド１ｃが固設され、その上部に正逆回転自在に動く球体部３を取付けられたブラケット２を備えつけられた指のトレーニング機である。【選択図】図２
2012090938.tif 000002
【特許請求の範囲】
【請求項１】
フレームとなる台座フレームにスタンドが固設され、その上部に球体部を取付られたブラケットを備えている。又、球体部は正逆回転自在に動くように構成されている指のトレーニング機。
【請求項２】
球体の向きを変えられる様にスタンド上部、及びスタンド側板に複数の穴加工を施し、その取付位置により下向き、上向き、横向き、斜め向き等に変えられる様にした請求項１記載の指トレーニング機。
【請求項３】
正逆回転自在で円滑に動くように球体の内部にはベアリングを備えられた請求項１記載の指のトレーニング機。
【発明の詳細な説明】
【技術分野】
【０００１】  本発明は、野球やソフトボールのピッチングが上達するための練習器に関するものである。
【背景技術】
【０００２】  従来のピッチングでボールに回転を与える方法は実際にボールを投げて習得する方法が一般的であった。
【発明の開示】
【発明が解決しようとする課題】
【０００３】  しかしながら、上記の実際にボールを投げてそのボールに回転を与える方法に当っては、簡単に習得することができず、又苦痛の割にトレーニングの効果は少なく、他人の手を借りず、又、肘や肩にあまり負荷が掛らなく、指の掛りのみのトレーニングが出来、短期間で習得できる運動器具が望まれていた。【０００４】  この発明は、上記のような課題に鑑み、その課題を解決すべく創案されたものであって、その目的とするところは野球やソフトボールのピッチングでボールに回転を与え、バッターを打ちづらくし、野球やソフトボール競技の向上となるなどの利点を要した指のトレーニングを提供することにある。
【課題を解決するための手段】
【０００５】  以上の目的を達成するために、この発明はフレームとなる台座フレームにスタンドが固設され、その上部に球体部を取付けられたブラケットを備え取付けられている。又、球体部は正逆回転自在に動く様に構成されている。【０００６】  ここで好ましい態様として、球体の向きが変えられる様にブラケットを取付け、その取付位置により下向き、上向き、横向き、斜め向き等変えられる様にするのがよい。【０００７】  正逆回転が円滑に行なえるように球体の内部にはベアリングを備え付けることにより、指先への負担を少なくすることが出来る。
【発明の効果】
【０００８】  以上の記載よりこの発明に係る指のトレーニング機によれば、野球のピッチングで指の掛かりによるボールに回転を与える動きは、ボールが指から離れる一瞬の動きであり、肘や肩にあまり負荷が掛からないトレーニングができ、短期間でボールに回転を与える指の動きが修得出来る。この指のトレーニング機は、球体の向きを変える事で変化球の指の掛かりもトレーニングが出来る。
特にボールを投げたりする競技の向上の効果がある。又、自分自身の指の力で回転させる事で自分に合った指のトレーニングが出来る。
【発明を実施するための最良の形態】
【０００９】  以下、図面に記載の発明の実施の形態に基づいて、この発明をより具体的に説明する。
ここで、図１（Ａ）は指のトレーニング機の正面図、図１（Ｂ）は指のトレーニング機の左側面と一部断面図、図１（Ｃ）は指のトレーニング機の平面図【００１０】  指のトレーニング機は、野球やソフトボールのピッチング時、指の掛かりを修得するために使用されるもので、フレーム（１）は台座となる台座フレーム（１ａ）と台座フレーム（１ｂ）に取付けられたスタンド（１ｃ）からなり、正逆回転自在に動く球体部（３）を取付けるブラケット（２）が、スタンド（１ｃ）の上部に取付けられる様になっているものなどから主に構成される指のトレーニング機について説明する。【００１１】  図１、（Ａ）（Ｂ）（Ｃ）においてスタンド（１）は台座フレーム（１ａ）と台座フレーム（１ｂ）に分けて説明する。台座となる台座フレーム（１ａ）台座フレーム（１ｂ）はＵ字型の溝形鋼を使用し、台座フレーム（１ａ）は台座フレーム（１ｂ）に直交方向に離間して平衡に配置され、台座フレーム（１ｂ）は正面から見て横設され、台座フレーム（１ａ，１ａ）を繋ぐ横梁をなす部分である。台座フレーム（１ａ）と台座フレーム（１ｂ）の配置はＨ型にて構成され溶接により一体に固設されている。台座フレーム（１ｂ）の中央にはスタンド（１ｃ）が垂直方向に取付けられている。台座フレーム（１ａ）と同様にＵ字型の溝形鋼が使用されている。そのスタンド（１ｃ）の上端部にはブラケット（２）が取付けられる様に２ヶ所の穴加工が施された取付座が固着されている。又、スタンド（１ｃ）の上側付近には３ヶ所の穴加工が施され、ブラケット（２）が取付位置を変えられる様になっている。台座フレーム（１ａ）（１ａ）の４角の先端付近には穴加工が施され、アジャスターボルト（４）が取付けられる。【００１２】  アジャスターボルト（４）はフレーム（１）の４角に取付けられる、指のトレーニング機の高さ調整としても使用している。ロッド部はネジ加工が施されフレーム（１）に上下の六角ナットで締め付けられている。座となる部分は丸形の形状とする。アジャスタ−ボルト（４）は一般に市販されている。【００１３】  ブラケット（２）はＬ形に曲げ加工され、フレーム（１）の先端付近に取付けられる。フレーム（１）に取付けられる側は２ヶ所の穴加工が施され、他のＬ形の面には球体部取付けの穴加工が施されているプレートからなる。【００１４】  次に球体部（３）について説明します。球体フレーム（３ｂ）は２つの半球形をリング（３ｅ）に溶接により固着され、球体の形状としたものである。球体フレーム（３ｂ）の２つの半球形は円形のプレートをプレス加工により半球のキャップ形状にしたスチール製のもので、半球を合わせて球体としたものです。片側の半球キャップ（３ｂ）中央にはピン（３ａ）とスペーサー（３ｃ）が通る穴加工を施してある。【００１５】  リング（３ｅ）は中央にベアリング（３ｄ）が入る穴加工を施し、外形は正円に加工されたプレートからなる。リング（３ｅ）とベアリング（３ｄ）は点付の溶接とし、ベアリングが熱による変形を最小限にしている。【００１６】  リング（３ｅ）とベアリング（３ｄ）の点付溶接後、ピン（３ａ）をベアリング（３ｄ）の内輪に差し込み、その後半球キャップ（３ｂ）を両側より合わせ球体とし、���周を溶接により一体とする。【００１７】  ピン（３ａ）は頭付ピンとし、中央付近に回り止め穴加工を施し、頭付と反対側にはネジ加工が施されブラケット（２）にナットにて締付ける様にしている。【００１８】  スペーサー（３ｃ）は円形の丸パイプ形状としピン（３ａ）の中央付近の穴加工と同位置になる様に穴加工を施してある。【００１９】  なお、この発明は上記発明の実施の形態に限定されるものではなく、この発明の精神を逸脱しない範囲で種々の改変をなし得ることは勿論である。
又、この発明における上記発明の実施の形態ではベアリング（３ｄ）であったが回転を円滑にする軸受を設置することも出来る。
【産業上の利用可能性】
【００２０】  この指のトレーニング機は、野球やソフトボールのピッチングの指の掛かりが修得出来、球速アップが期待できる。又、球体の向きを変える事で変化球の指の掛かりも修得出来、ボールを投げるスポーツ競技の向上の効果がある。さらに、身体機能回復用としてトレーニング器具としても利用できる。
【図面の簡単な説明】
【図１】（Ａ）この発明の実施の形態を示す指のトレーニング機の球体横向きの正面図である。（Ｂ）この発明の実施の形態を示す指のトレーニング機の球体横向きの左側面と一部断面図である。（Ｃ）この発明の実施の形態を示す指のトレーニング機の球体横向きの平面図である。
【図２】この発明の実施の形態を示す指のトレーニング機の球体横向きを使用する時の指の掛かり図である。
【図３】（Ａ）この発明の実施の形態を示す指のトレーニング機の球体下向き図  （Ｂ）この発明の実施の形態を示す指のトレーニング機の球体上向き図  （Ｃ）この発明の実施の形態を示す指のトレーニング機の球体斜４５°向図
【符号の説明】１          フレーム
１ａ        台座フレーム
１ｂ        台座フレーム
１ｃ        スタンド
２          ブラケット
３          球体部
３ａ        ピン
３ｂ        半球キャップ
３ｃ        スペーサー
３ｄ        ベアリング
３ｅ        リング
４          アジャスターボルト
【図１】
2012090938.tif 000003
【図２】
2012090938.tif 000004
【図３】
2012090938.tif 000005